(57)【要約】【課題】金属基材の表面において少なくとも一個の透視色塗りペンキ層を形成し、上記透視色塗りペンキ層には少なくとも樹脂と染料が含まれることにより、透明感を有すると共に、金属の反射の光沢による全体の視覚の効果を提供できるゴルフクラブヘッドを提供する。【解決手段】少なくとも一個の金属基材１０および少なくとも一個の透視色塗りペンキ層１２が含まれるゴルフクラブヘッド１とその部材である。透視色塗りペンキ層１２は金属基材１０の少なくとも部分的な表面に形成され、透視色塗りペンキ層１２には少なくとも樹脂と染料が含まれる。透視色塗りペンキ層１２は光線が金属基材１０表面を貫穿して到達するのに用いられることにより、金属基材１０の金属の光沢と透視色塗りペンキ層１２の染料の顔色を反射するように構成されている。【選択図】  図１
0003124201.tif 000002
【実用新案登録請求の範囲】
【請求項１】
少なくとも一個の金属基材（１０）および少なくとも一個の透視色塗りペンキ層（１２）が含まれるゴルフクラブヘッド（１）であって、少なくとも一個の金属基材（１０）はヘッド本体、フェース板とホーゼルの少なくとも一個の上に形成され、少なくとも一個の透視色塗りペンキ層（１２）は金属基材（１０）の少なくとも部分的な表面に形成され、透視色塗りペンキ層（１２）は光線が金属基材（１０）表面を貫穿して到達するのに用いられることにより、金属基材（１０）の金属の光沢を反射することを特徴とするゴルフクラブヘッド。
【請求項２】
透視色塗りペンキ層（１２）には樹脂と染料が含まれることを特徴とする請求項１記載のゴルフクラブヘッド。
【請求項３】
上記透視色塗りペンキ層（１２）の樹脂はポリウレタン弾性体またはエポキシ樹脂から選択することを特徴とする請求項２記載のゴルフクラブヘッド。
【請求項４】
上記透視色塗りペンキ層（１２）の樹脂は透明樹脂または半透明樹脂から選択することを特徴とする請求項２記載のゴルフクラブヘッド。
【請求項５】
透視色塗りペンキ層（１２）には他に希釈剤が含まれることを特徴とする請求項２記載のゴルフクラブヘッド。
【請求項６】
上記透視色塗りペンキ層（１２）の希釈剤は活性希釈剤または非活性希釈剤から選択することを特徴とする請求項５記載のゴルフクラブヘッド。
【請求項７】
ゴルフクラブヘッド（１）の金属基材（１０）と透視色塗りペンキ層（１２）との間には他に透視下塗り層（１１）が形成されることを特徴とする請求項１記載のゴルフクラブヘッド。
【請求項８】
透視下塗り層（１１）は透明下塗り層または半透明下塗り層から選択することを特徴とする請求項７記載のゴルフクラブヘッド。
【請求項９】
透視下塗り層（１１）の表面には他に保護層（１３）が形成されることを特徴とする請求項１記載のゴルフクラブヘッド。
【請求項１０】
保護層（１３）は透明保護層または半透明保護層から選択することを特徴とする請求項９記載のゴルフクラブヘッド。
【請求項１１】
他に蓋板が含まれ、金属基材（１０）は上記蓋板の上に形成されることを特徴とする請求項１記載のゴルフクラブヘッド。
【請求項１２】
上記金属基材（１０）はヘッドの部材に形成され、上記ヘッドの部材はヘッド本体、フェース板、ホーゼルと蓋板の少なくとも一個から選択することを特徴とする請求項１記載のゴルフクラブヘッド。
【考案の詳細な説明】
【技術分野】
【０００１】
本考案は、ゴルフクラブヘッドに関するもので、特に金属基材の表面において透視色塗りペンキ層を形成することにより、透視性の金属光沢による視覚の効果を相対的に高めることができるゴルフクラブヘッドに係るものである。
【背景技術】
【０００２】
従来のゴルフクラブヘッドとしては、ゴルフクラブヘッドの金属基材の表面において順序に従って被覆層と偏光表層が形成される。上記被覆層は下塗り層、着色層、着色偏光層と透視層により組成される。上記下塗り層は上記金属基材の一方の側に最も近付くように形成される。上記着色層は上記下塗り層の外側に形成され、そして上記着色層には色ペンキの成分が含まれる。上記着色偏光層は上記着色層の外側に形成され、そして上記着色偏光層には樹脂基材、色ペンキ成分と偏光材料が含まれる。上記透視層は上記着色偏光層の外側に形成される。上記偏光表層は再び上記透視層の外側に形成される。上記偏光表層にも樹脂基材、色ペンキ成分と偏光材料が含まれる。これにより、上記ゴルフクラブヘッドでは比較的よい視覚の効果を提供することができるようにとしたものがある（例えば、特許文献１を参照）。
【特許文献１】特開２００２−３２５８５６号公報
【考案の開示】
【考案が解決しようとする課題】
【０００３】
上記のような従来のゴルフクラブヘッドにおいては、実際に使用すると、光線が順序に従って上記偏光表層、透視層と着色偏光層を貫穿した後、上記光線は下塗り層と着色層において反射が生じられる。そのため、反射後の光線は実質上として上記下塗り層と着色層の色合いを反応するもので、上記ゴルフクラブヘッドの金属基材の原始の色合いを具体的に反応していない。その他に、上記偏光表層と着色偏光層によって均一と温和の光線による屈折の効果を生じることができるが、透明感と貫穿可能な視覚の効果を生じることができないという問題点があった。また、上述したゴルフクラブヘッドではその被覆層の層数が多く、そして成分が複雑過ぎるため、生産の困難度、生産工程と生産コストが相対的に増えてしまうという問題点があった。このように、上記のような従来のゴルフクラブヘッドとその部材の構造をさらに改良しなければならない。
【０００４】
本考案はこのような問題点に鑑みて考案したものであって、その目的とするところは、金属基材の表面において少なくとも一個の透視色塗りペンキ層を形成し、上記透視色塗りペンキ層には少なくとも樹脂と染料が含まれることにより、透明感を有すると共に、金属の反射の光沢による全体の視覚の効果を提供できるゴルフクラブヘッドを提供しようとするものである。その他に、上記透視色塗りペンキ層は実質上として上記金属基材の原始色合いを反応することができるゴルフクラブヘッドを提供しようとするものである。さらに、比較的少ない被覆層を有するため（基本上として上記透視色塗りペンキ層のみが必要になる）、相対的に生産コストを低く抑えると共に、生産効率を高めることができるゴルフクラブヘッドを提供しようとするものである。
【０００５】
本考案は、金属基材の表面において少なくとも一個の透視色塗りペンキ層を形成し、上記金属基材の金属光沢を反射して透視することにより、視覚の効果を提供すると共に、被覆層の構造を簡単化にすることができるゴルフクラブヘッドを提供しようとするものである。
【課題を解決するための手段】
【０００６】
上記目的を達成するために、本考案によるゴルフクラブヘッドは、下記のようになるものである。すなわち、
少なくとも一個の金属基材および少なくとも一個の透視色塗りペンキ層が含まれる。少なくとも一個の金属基材はヘッド本体、フェース板とホーゼルの少なくとも一個の上に形成される。少なくとも一個の透視色塗りペンキ層は金属基材の少なくとも部分的な表面に形成され、透視色塗りペンキ層は光線が金属基材表面を貫穿して到達するのに用いられることにより、金属基材の金属の光沢を反射する。
【０００７】
本考案によるゴルフクラブヘッドは、透視色塗りペンキ層には樹脂と染料が含まれることもできる。また、上記透視色塗りペンキ層の樹脂はポリウレタン弾性体またはエポキシ樹脂から選択することもできる。また、上記透視色塗りペンキ層の樹脂は透明樹脂または半透明樹脂から選択することもできる。また、透視色塗りペンキ層には他に希釈剤が含まれることもできる。また、上記透視色塗りペンキ層の希釈剤は活性希釈剤または非活性希釈剤から選択することもできる。また、ゴルフクラブヘッドの金属基材と透視色塗りペンキ層との間には他に透視下塗り層が形成されることもできる。また、透視下塗り層は透明下塗り層または半透明下塗り層から選択することもできる。また、透視下塗り層の表面には他に保護層が形成されることもできる。また、保護層は透明保護層または半透明保護層から選択することもできる。また、他に蓋板が含まれ、金属基材は上記蓋板の上に形成されることもできる。また、上記金属基材はヘッドの部材に形成され、上記ヘッドの部材はヘッド本体、フェース板、ホーゼルと蓋板の少なくとも一個から選択することもできる。
【考案の効果】
【０００８】
本考案のゴルフクラブヘッドによれば、金属基材の表面において少なくとも一個の透視色塗りペンキ層を形成し、上記金属基材の金属光沢を反射して透視することにより、視覚の効果を提供すると共に、被覆層の構造を簡単化にすることができるという利点がある。
【考案を実施するための最良の形態】
【０００９】
本考案の実施の形態について、以下、図面を参照して説明する。
【実施例１】
【００１０】
図１、２を参照すると、本考案の実施例１のゴルフクラブヘッド１が示されている。ゴルフクラブヘッド１は適当な金属、合金材料または非金属材料から選択することができ、例えば炭素鋼、低炭素鋼、マルエージング鋼、合金鋼、低合金鋼、ステンレス鋼、フェロ−マンガン−アルミ合金、鋳鉄、ニッケル合金、構造用鋼、チタン合金または炭素繊維などのから選択することができる。ゴルフクラブヘッド１には少なくとも一個の金属基材１０が含まれ、そしてゴルフクラブヘッド１は選択的にヘッド本体、フェース板、ホーゼルまたは蓋板などの少なくとも一個のヘッドの部材（図示せず）において金属基材１０を形成する。金属基材１０の全ての表面または局部の表面においては順序に従って透視下塗り層１１、透視色塗りペンキ層１２と保護層１３が形成される。
【００１１】
再び図１、２を参照すると、本考案の実施例１において透視下塗り層１１はアクリル樹脂塗料、ポリウレタン樹脂塗料、ニトロ基樹脂塗料、ポリエステル樹脂塗料、エポキシ樹脂塗料、フェノリックアルデヒド樹脂塗料またはアルキッド樹脂塗料などの塗料から選択する。その他に、透視下塗り層１１は選択的に引き延ばし塗装、吹付け塗装または浸漬などの方式を利用して金属基材１０の表面に形成することができる。透視下塗り層１１の厚さは好ましくは１０μｍ（ミクロン）から１００μｍ（ミクロン）までの間にあり、さらに好ましくは２０μｍ（ミクロン）から４０μｍ（ミクロン）までの間にある。また、本創作において、透視下塗り層１１は使用上の需要性に応じて異なる顔色を選択することができ、さらに透明または半透明の塗料を選択することができるため、光線が金属基材１０の表面まで貫穿して射るのに役立つことができる。その他に、透視下塗り層１１により錆び止めの効果を高めると共に、金属基材１０の表面の平らさを増やすことができる。
【００１２】
再び図１、２を参照すると、本考案の実施例１において透視色塗りペンキ層１２には少なくとも樹脂と染料（図示せず）などの成分が含まれる。その内に、上記樹脂を透視色塗りペンキ層１２の主要成分とし、そして上記樹脂は、透明または半透明の樹脂、例えば、ポリウレタン弾性体（polyurethane elastomer，ＰＵ）、エポキシ樹脂（epoxy）、アクリル系、ポリウレタン樹脂、ニトロ基樹脂、ポリエステル樹脂塗料、フェノリックアルデヒド樹脂またはアルキッド樹脂などの材質から選択することができる。その他に、上記染料は使用上の需要性に応じて異なる顔色を選択することができ、そして上記染料は均一に上記樹脂の内に混合される。また、透視色塗りペンキ層１２は塗布時において他に選択的に希釈剤（図示せず）を加えることができ、そして上記希釈剤は活性希釈剤、例えば、グリシジルエーテル類などの溶剤を選択することができ、或いは、非活性希釈剤、例えば、トルエン、エタノール、アセトン、ブタノールまたはジブチルなどの溶剤から選択することができる。これにより、上記希釈剤により塗布時の流動性、凝固後の機械性質と耐化学性質を相対的に高めると共に、上記希釈剤により透視色塗りペンキ層１２の透過率を相対的に高めることができる。これにより、透視色塗りペンキ層１２によって透明感と染料の顔色による視覚の効果を提供することができる。
【００１３】
再び図１、２を参照すると、本考案の実施例１において保護層１３は透視下塗り層１１と同じまたは異なる塗料を選択することができ、そして保護層１３は好ましくは透明または半透明の塗料を選択することにより、光線が貫穿するのに役立つことができると共に、透視色塗りペンキ層１２の染料の顔色と金属基材１０の色合いを現出するのに役立つことができる。これにより、保護層１３によって保護と装飾の効果を提供することができる。
【００１４】
再び図１、２を参照すると、本考案の実施例１においてゴルフクラブヘッドとその部材に対して塗布の作業を行う時、先ずゴルフクラブヘッド１の少なくとも一個のヘッドの部材の金属基材１０の表面において研磨の作業を行うことにより、比較的よい平らで滑り易い表面を形成することができるため、後続の塗布の作業が行い易くなる。それから、金属基材１０の表面において塗料を塗布してから乾かすことにより、透視下塗り層１１を形成する。そして、透視下塗り層１１の上方において他の塗料を塗布してから乾かすことにより、透視色塗りペンキ層１２を形成する。それから、透視色塗りペンキ層１２の上方において再び塗料を塗布して乾かすことにより、保護層１３を形成する。
【００１５】
再び図１、２を参照すると、本考案の実施例１において透視色塗りペンキ層１２は透明または半透明に形成されるため、光線は透視色塗りペンキ層１２を貫穿し、そして金属基材１０の色合いを反射することにより、金属基材１０の原始の金属の色合いと透視色塗りペンキ層１２の染料の顔色が共同で組成した混合の色合いを現出することができる。これにより、透視色塗りペンキ層１２により透明感を有した全体の視覚の効果を提供することができる。その他に、本考案において透視下塗り層１１と保護層１３は好ましくは透明または半透明の塗料から選択することにより、保護、装飾、錆び止めと透過率の増加などの効果を提供することができる。
【実施例２】
【００１６】
図３、４を参照すると、本考案の実施例２のゴルフクラブヘッドが掲示されている。実施例１と比較してみると、実施例１においては単一の透視色塗りペンキ層１２を有しているが、実施例２においては少なくとも二個の透視色塗りペンキ層１２及び１２’を有すると共に、二個の透視色塗りペンキ層１２及び１２’は選択的に同じ顔色または透過率の傾斜の変化を有するように形成することにより、ゴルフクラブヘッド１の色の濃淡、透明感と透視の深さを相対的に高めることができる。また、二個の透視色塗りペンキ層１２及び１２’も選択的に異なる顔色または透過率などの特性を有するように形成することにより、組合せ式の多重の色合いと透視の効果を提供することができるため、ゴルフクラブヘッド１は多様性の視覚効果を有するように形成される。その他に、実施例１においてゴルフクラブヘッド１はアイアン型のヘッドからなるが、実施例２においてはゴルフクラブヘッド１はウッド型のヘッドまたはパター型のヘッドなどの各種のヘッドからなることができる。また、実施例２におけるゴルフクラブヘッド１も選択的に単層の透視色塗りペンキ層１２を設けることができ、そして実施例１におけるゴルフクラブヘッド１も選択的に二層の透視色塗りペンキ層１２及び１２’を設けることができる。
【産業上の利用可能性】
【００１７】
上述の如く、従来のゴルフクラブヘッドの構造によれば、着色偏光層を設けることにより、透過率が低くなると共に、金属基材の原始の色合いを反応することができないなどの問題点があったが、図１に示す本考案のゴルフクラブヘッドによれば、ゴルフクラブヘッド１の少なくとも一個のヘッドの部材の金属基材１０の表面において少なくとも一個の透視色塗りペンキ層１２を形成することにより、金属基材１０の金属の色合いと透視色塗りペンキ層１２の染料の顔色が共同で組成した全体の複合の視覚効果を現出することができるため、確実に透明感、色の濃淡と質感を相対的に高めることができる。
【００１８】
本考案は、その精神及び必須の特徴事項から逸脱することなく他のやり方で実施することができる。従って、本明細書に記載した好ましい実施例は例示的なものであり、限定を意図するものではない。
【図面の簡単な説明】
【００１９】
【図１】本考案の実施例１のゴルフクラブヘッドとその部材による分解斜視図である。
【図２】本考案の実施例１のゴルフクラブヘッドとその部材による組み立てられた状態の断面図である。
【図３】本考案の実施例２のゴルフクラブヘッドとその部材による分解斜視図である。
【図４】本考案の実施例２のゴルフクラブヘッドとその部材による組み立てられた状態の断面図である。
【符号の説明】
【００２０】
１    ゴルフクラブヘッド                    １０    金属基材
１１    透視下塗り層                          １２    透視色塗りペンキ層
１２’  透視色塗りペンキ層                    １３    保護層
【図１】
0003124201.tif 000003
【図２】
0003124201.tif 000004
【図３】
0003124201.tif 000005
【図４】
0003124201.tif 000006